Podtech/llm-jp-corpus-v4-ja_patent huggingface dataset:
(57)【要約】      （修正有）【課題】使用中のスプーンのつぼ面またはフォークの枝やすくい根が直接テーブルに触れるのを防ぐ台座を提供する。【解決手段】バネクリップの開閉する先端部分をＬ字型形状とし、バネクリップの持ち手に傾斜をつけた形状の台座で、Ｌ字型の先端部分に既製品のスプーンまたはフォークの柄を挟み、取り付けたバネクリップの持ち手の台座を食器の端部の淵へかけることにより、スプーン並びにフォークが皿内へ滑り落ちることを防ぎ、スプーン並びにフォークをテーブルへ置いたときにつぼ面や枝部分を台座により浮かせることでテーブル面に接地せず、使用時における衛生面での不快感を防ぐ。【選択図】図１
0003209129.tif 000002
【実用新案登録請求の範囲】
【請求項１】
台座によりスプーン並びにフォークが皿内への滑り落ちを防ぎ、また台座によりテーブルへ置いたときにスプーン並びにフォークのつぼ面や枝がテーブル面へ接地せず、使用時における衛生面での不快感を防げる。
【考案の詳細な説明】
【技術分野】
【０００１】本考案は、スプーン並びにフォークを皿の端に掛けることができ、更にテーブルの上にスプーンのつぼ面を付けずに置く事が容易な台座に関するものである。
【背景技術】
【０００２】飲食店並びに各家庭では取り分け用のスプーンやフォークを使う人が多く、皿の端にスプーンやフォオークを掛けると滑ってずり落ちてしまう。【０００３】使用中のスプーン並びにフォークをテーブルの上へ直接置くと衛生面に問題がある。【０００４】この改善策としてスプーン並びにフォークに台座をセットし、皿の端から皿内へ滑らず、直接テーブル面に触れない方法がある。
【考案の概要】
【考案が解決しようとする課題】
【０００５】解決する問題点はスプーン並びにフォークを皿の端に掛けておくとずり落ちてしまうこと及び使用中のスプーン並びにフォークを直接テーブルの上へおくと衛生面での不快感を持つことにある。
【課題を解決するための手段】
【０００６】本考案は、スプーン並びにフォークを皿の端から皿内へ滑るのを防ぐこと及び使用中のスプーンのつぼ面、並びにフォークの枝やすくい根が直接テーブルに触れるのを防ぐためにある。
【考案の効果】
【０００７】本考案の滑らず置けるスプーン並びにフォークの台座は皿の端から皿内への滑り落ちを防ぐ他、使用中のスプーン並びにフォークが直接テーブルに触れて衛生面を守ることにある。
【図面の簡単な説明】
【０００８】
【図１】は「滑らず置けるスプーン並びにフォークの台座」の実施方法を示した説明図である。（実施例１）
【考案を実施するための形態】
【０００９】スプーン並びにフォークの使用形態及び機能は失わずに、スプーン並びにフォークを皿から滑り落ちにくさを実現し、更に使用中のスプーン並びにフォークを直接テーブルへ置いける清潔さを実現したものである。
【実施例１】
【００１０】［図１］は、本考案の各部名称で、符号１＝柄、２＝つぼ面、３＝すくい根、４＝枝、５＝Ｐ点、６＝Ｑ点、７＝Ｒ点である。【００１１】［図１］の設置点のＰ点は、台座本体内部のバネによりスプーン並びにフォークの柄を挟みこんで密着しており、外部からのＱ点とＲ点の両方を押して外さない限り常に密着している。
本考案の主体はスプーン並びにフォークの皿内への滑り落ちを防ぐこととテーブルに置くことであるので構造、物理系の説明は省略する
【符号の説明】
【００１２】１  柄
２  つぼ面
３  すくい根
４  枝
５  Ｐ点
６  Ｑ点
７  Ｒ点
【図１】
0003209129.tif 000003
【手続補正書】
【提出日】平成28年11月6日(2016.11.6)
【手続補正１】
【補正対象書類名】実用新案登録請求の範囲
【補正対象項目名】全文
【補正方法】変更
【補正の内容】
【実用新案登録請求の範囲】
【請求項１】
バネクリップの開閉する先端部分をＬ字型形状、バネクリップの持ち手に傾斜をつけた形状の台座で、Ｌ字型の先端部分に既製品のスプーン並びにフォークの柄を挟み、取り付けたバネクリップの持ち手の台座を食器の端部の淵へかけることにより、スプーン並びにフォークが皿内へ滑り落ちることを防ぎ、スプーン並びにフォークをテーブルへ置いたときにつぼ面や枝部分を台座により浮かせることでテーブル面に接地せず、使用時における衛生面での不快感を防ぎ、既製品のスプーン並びにフォークに取り付けられることを特徴とする、滑らず置けるスプーン並びにフォークの台座である。
(57)【要約】      （修正有）【課題】足の踵がビーチサンダル並びにサンダルから浮くことを防ぎ、脱げにくくするサンダル留めを提供する。【解決手段】既存のビーチサンダル又はサンダルに使用するサンダル留めであって、本体の靴底面に非伸縮性素材で土踏まず部分２を設け、土踏まず部分２の両側に接続し、靴底部５を挟んで左右両端に反転させて繋いだ伸縮性素材のベルト４により足甲部を支持するとともに足首後部を支持することにより着脱しにくくした。【選択図】図１
0003209133.tif 000002
【実用新案登録請求の範囲】
【請求項１】
伸縮性素材によりビーチサンダル並びにサンダルと足との密着性を図り、それにより足指にかかる負担を軽減して脱げにくくし、既存のビーチサンダル並びにサンダルに使用できることを特徴としたものである。
【考案の詳細な説明】
【技術分野】
【０００１】本考案は、ビーチサンダル並びにサンダルを歩行時や不意に力を入れた時に脱げにくくし、足の踵がビーチサンダル並びにサンダルから浮いて脱げてしまうことを防ぐものである。
【背景技術】
【０００２】ビーチサンダル並びにサンダルで歩く人は走ると脱げ易くなってしまい、足の指に負担が掛かり、ビーチサンダル並びにサンダルが脱げてしまった時に怪我をしてしまう。【０００３】この改善策としてビーチサンダル並びにサンダルを脱げにくくし、足の踵がビーチサンダル並びにサンダルから浮いて脱げてしまうのを防ぐ方法がある。
【考案の概要】
【考案が解決しようとする課題】
【０００４】解決する問題点はビーチサンダル並びにサンダルを履いて走ったり、急に足に力を入れると足の踵がビーチサンダル並びにサンダルから浮いて脱げてしまい、怪我をする恐れがあることにある。
【課題を解決するための手段】
【０００５】本考案は、ビーチサンダル並びにサンダルに伸縮性の素材と非伸縮性の素材を用いてビーチサンダル並びにサンダルから足を抜けににくくし、また足の踵がビーチサンダル並びにサンダルから浮きにくくする。
【考案の効果】
【０００６】本考案は、ビーチサンダル並びにサンダルを歩行時や不意に力を入れた時に脱げにくくし、足の踵を浮きにくくさせることにある。
【図面の簡単な説明】
【０００７】
【図１】はビーチサンダル並びにサンダルが脱げにくいのと足の踵がビーチサンダル並びにサンダルから浮きにくいことの実施方法を示した説明図である。（実施例１）
【考案を実施するための形態】
【０００８】ビーチサンダル並びにサンダルの使用形態は変えずに、ビーチサンダル並びにサンダルの脱げにくさと足の踵がビーチサンダル並びにサンダルから浮かないことを実現したものである。
【実施例１】
【０００９】［図１］は、本考案の各部名称で、符号１＝伸縮性素材、２＝非伸縮性素材、３＝足の指を入れるベルト、４＝足の甲から足首にかけるベルト、５＝サンダル底、である。【００１０】［図１］の接地点Ｐ点は、ビーチサンダル並びにサンダルが伸縮性素材により足に密着する形となっている。
本考案の主体はビーチサンダル並びにサンダルの脱げにくさと足の踵がビーチサンダル並びにサンダルから浮いて脱げてしまうことにあるので素材及び材質の説明は省略する。
【符号の説明】
【００１１】１  伸縮性素材
２  非伸縮性素材
３  足の指を入れるベルト
４  足の甲から足首にかけるベルト
５  サンダル底
【図１】
0003209133.tif 000003
【手続補正書】
【提出日】平成28年11月17日(2016.11.17)
【手続補正１】
【補正対象書類名】実用新案登録請求の範囲
【補正対象項目名】全文
【補正方法】変更
【補正の内容】
【実用新案登録請求の範囲】
【請求項１】
既存のビーチサンダル又はサンダルに使用するサンダル留めであって、本体の靴底面に非伸縮性素材で土踏まず部分に合わせた幅と長さの部分的な靴底の左右両端に反転させて繋いだ伸縮性素材により足甲部を支持するとともに足首後部を支持することにより着脱しにくいことを特徴としたサンダル留めである。
(57)【要約】      （修正有）【課題】実際の体重より計測値を少なく、あるいは多く表示させるデジタル体重計を提供する。【解決手段】体重測定手段と、実際の体重測定値より少ない測定値あるいは多い測定値を算定する演算手段と、実際の体重測定値を表示させるのか、実際の体重より少ない測定値を表示させるのか、実際の体重より多い測定値を表示させるのか、を選択する手段と、測定値を表示する表示手段と、を備える。【選択図】図１
0003209134.tif 000002
【実用新案登録請求の範囲】
【請求項１】
外観は従来のデジタル体重計と同様であるが、実際の計測値とは異なる計測値を表示することができるデジタル体重計
【考案の詳細な説明】
【技術分野】
【０００１】  本考案は、実際の計測値とは異なる計測値を表示することができるデジタル体重計に関する。
【背景技術】
【０００２】  従来のデジタル体重計は、体重を正確に計測して表示するものが一般的であった。
【考案の概要】
【考案が解決しようとする課題】
【０００３】  痩せたい、あるいは太りたいという願望を持っている人が体重計に乗ると、自分の意に反した計測値が表示され、失望感を抱くことがある。
【課題を解決するための手段】
【０００４】  本考案によるデジタル体重計は、マイクロコンピューター等演算機能を持つシステムを内蔵し、人が乗ると実際の体重より少ない計測値あるいは多い計測値を液晶ディスプレイに表示する機能を持たせることで上記課題を解決する。
なお、それぞれの人の好みによって実際の体重より計測値を少なく、あるいは多く表示させるため、体重計の任意の部分にスイッチを設置し、スイッチの切り替えにより、実際の体重より少ない計測値を表示させるのか、多い計測値を表示させるのか、正確な計測値を表示させるのかを選択できるものとする。
【考案の効果】
【０００５】  本考案によるデジタル体重計は、実際の体重より少なく、あるいは多く計測値を表示することが可能なため、痩せたい、あるいは太りたいといったそれぞれの願望に近い計測値が表示され、失望感を緩和する効果が期待できる。
【考案を実施するための最良の形態】
【０００６】  図１に示すように、体重計の前面に、実際の体重より少ない計測値を表示させるのか、多い計測値を表示させるのか、正確な計測値を表示させるのかを選択できる３つのスイッチＡ・Ｂ・Ｃを設置した。
【実施例】
【０００７】  次に、本考案にかかる実施例について図１を参照しながら具体的に説明する。ただし、本考案はこの実施例に限定されるものではないことはもちろんである。
本考案によるデジタル体重計にはＡ、Ｂ、Ｃの３つのスイッチがあり、人が乗る前にいずれかのスイッチを押すと、電源が入ると同時に、Ａを押した場合は実際の体重より少ない計測値を、Ｂを押した場合は実際の体重より多い計測値を、Ｃを押した場合は実際の体重計測値を液晶ディスプレイに表示させるよう、マイクロコンピューター等演算機能を持つシステムが判断し、スタンバイ状態となる。
そして、人が乗るとシステムが稼働して体重計測と計算を行い、実際の体重より数％から１０％程度少ない、あるいは多い体重計測値、または、実際の体重計測値を表示させる機能を持つものである。
【図面の簡単な説明】
【０００８】
【図１】  本考案による一実施例を図に示したもので、デジタル体重計の斜視図である。
【符号の説明】
【０００９】  １  体重計測値を表示する液晶ディスプレイ
２  実際の体重より少ない計測値を表示させるスイッチ
３  実際の体重より多い計測値を表示させるスイッチ
４  実際の体重計測値を表示させるスイッチ
【図１】
0003209134.tif 000003
【手続補正書】
【提出日】平成28年12月7日(2016.12.7)
【手続補正１】
【補正対象書類名】実用新案登録請求の範囲
【補正対象項目名】全文
【補正方法】変更
【補正の内容】
【実用新案登録請求の範囲】
【請求項１】
体重測定手段と、
実際の体重測定値より少ない測定値あるいは多い測定値を算定する演算手段と、
実際の体重測定値を表示させるのか、実際の体重より少ない測定値を表示させるのか、実際の体重より多い測定値を表示させるのか、を選択する手段と、
測定値を表示する表示手段と、
を備える体重計
(57)【要約】      （修正有）【課題】果肉部分を除去し表皮部を乾燥させた天然ひょうたん（瓢箪）内部の防水性を高め、飲料水水筒や酒の貯蔵容器として利用できる天然ひょうたん容器を提供する。【解決手段】天然ひょうたん１５の内部で、熱可塑性樹脂材料またはガラス材料で出来た樹脂容器１４を熱と圧縮空気でブロー成形し、その材料の薄膜をひょうたん内部に密着させ、ひょうたん表皮の防水性を高める。【選択図】図４
0003209138.tif 000002
【実用新案登録請求の範囲】
【請求項１】
天然植物の実の内部に収容空間を形成し、この収容空間の内部全域に樹脂被膜又はガラス被膜を設けたことを特徴とする天然植物の実を用いた容器。
【請求項２】
前記樹脂被膜は、熱可塑性樹脂材料から形成され、熱及び圧縮容器により前記収容空間の内面に密着されていることを特徴とする請求項１に記載の天然植物の実を用いた容器。
【請求項３】
前記ガラス被膜は、ガラス材料から形成され、熱及び圧縮空気により前記収容空間の内面に密着されていることを特徴とする請求項１に記載の天然植物の実を用いた容器。
【考案の詳細な説明】
【技術分野】
【０００１】  本考案は、飲料水や酒の貯蔵容器として利用されてきた、天然ひょうたんを用いた液体容器に関する。
【背景技術】
【０００２】  ウリ科の植物の実である天然のひょうたん（瓢箪）は、古くから、果肉部分を除去し表皮部を乾燥させたものを水筒や酒の貯蔵容器として利用されている。ただし、表皮には微細な穴があるため、液体を入れてしばらく放置していると表面に液体が染み出してくる。そのため、液体容器として長期間使用するためには、内部を防水加工する必要がある。【０００３】  内部の防水加工材料としては柿渋やウレタン系塗料があり、これらを塗装して防水加工する。しかしながら、何度も塗装と乾燥を繰り返した後、水漏れがないかのチェックを十分する必要がある。【０００４】  また、柿渋独特の臭いや、塗料の希釈に使用したシンナーなどの塗料臭を消すためにも多くの時間が必要である。
【考案の概要】
【考案が解決しようとする課題】
【０００５】  本考案の課題は、ひょうたん内部を柿渋や塗料ではなく、樹脂材料やガラス材料の薄膜をひょうたん内面形状に沿って均等に密着させることで、ひょうたん表皮の防水性を実現することを目的とする。
【課題を解決するための手段】
【０００７】  一般的に、液体の貯蔵容器であるペットボトル（ポリエチレン・テレフタラート製ボトル）は、ブロー成形によって製造される。プリフォームと呼ばれるペットボトルの元となる樹脂容器を加熱して柔らかくし、ボトル形状の凹金型内で圧搾空気を吹き込み膨らませて製作するのが一般的な方法である。【０００８】  図１示すように、ペットボトルのプリフォームに相当する樹脂容器１を金型の代わりに、果肉部分を除去し表皮部を乾燥させた天然ひょうたん１２内にいれ、圧搾空気を吹き込み膨らませて変形させる。
その結果、図２に示すように、樹脂容器１はひょうたん内部に密着した樹脂容器１１となり、表皮の防水性を高めた天然ひょうたん容器ができる。【０００９】  樹脂容器１は、ペットボトルの製法と同様に、あらかじめ射出成型によって製作しておくため、キャップ１３用のねじ部を設けておくことができ、キャップ付きの天然ひょうたん容器ができる。【００１０】  古来の天然ひょうたん容器のように、キャップの代わりに栓を使用する容器にするには、図３に示すように、口元にねじ部の無い樹脂容器２を天然ひょうたん１５内にいれ、圧搾空気を吹き込み膨らませて変形させる。その結果、図４に示すように、樹脂容器２の薄膜はひょうたん内部に密着した樹脂容器１４となり、栓１６に対応した天然ひょうたん容器ができる。【００１１】  樹脂容器１および２は、樹脂の代わりにガラス材料で製作することも可能であるため、酒などのアルコール類の貯蔵容器にもなる。
【考案の効果】
【００１２】  ひょうたんは置物などの鑑賞用以外に、表皮内部の防水性を高めることによって飲料水や酒の貯蔵容器として活用できる。
【図面の簡単な説明】
【００１３】
【図１】本考案の一実施例を示すブロー成型前の縦断面図である。
【図２】一実施例のブロー成型後の縦断面図である。
【図３】本考案の他の一実施例を示すブロー成型前の縦断面図である。
【図４】他の一実施例のブロー成型後の縦断面図である。
【符号の説明】
【００１４】１      口元にキャップ用ねじ部を有するブロー成型前の樹脂容器
２      口元にキャップ用ねじ部の無いブロー成型前の樹脂容器
１１    口元にキャップ用ねじ部を有するブロー成型後の樹脂容器
１２    樹脂容器の大きさに合わせて口元を切断した天然ひょうたん
１３    ねじ式キャップ
１４    口元にキャップ用ねじ部の無いブロー成型後の樹脂容器
１５    樹脂容器の大きさに合わせて口元を切断した天然ひょうたん
１６    栓
【図１】
0003209138.tif 000003
【図２】
0003209138.tif 000004
【図３】
0003209138.tif 000005
【図４】
0003209138.tif 000006
(57)【要約】      （修正有）【課題】配達用二輪車の車体に広告掲載スペースを設け配達範囲内の顧客になり得る通行人へ訴求し顧客を獲得することが可能になる二輪車用広告印刷済みシートカバーを提供する。【解決手段】二輪車のシートに被せるシートカバーの生地に主に宣伝等の印刷を行いその生地を取り付けるシートの形状に合わせて立体縫製するために形状は一定ではなく取り付け対象のシートに合わせたものとなる、固定方法も被せて開口部を巾着のようにしぼり固定する方法やシート基部に鋲などで打ち付ける等して固定する配達時の停車中に宣伝効果を期待できる。【選択図】図１
0003209131.tif 000002
【実用新案登録請求の範囲】
【請求項１】
二輪車のシートに被せるシートカバーに印刷を行い、主に宣伝目的として運転者の降車中に通りかかった通行人に対して訴求する。
ピザ配達店等は運搬用の箱に広告を掲載して訴求出来るが箱の装備が無いオカモチでの配達車両等では宣伝広告面が無かったのでシート座面に広告を印刷することでこの地域に配達に来る車両の店舗として有効な宣伝効果が期待できる。
【考案の詳細な説明】
【技術分野】
【０００１】ビニールシート印刷の活用
【背景技術】
【０００２】従来からあるシートカバーは表面のスペースを活用しない単なる保護カバーであった。
配達業などでスクーターやオートバイを使用する業態の会社において運搬用の箱への広告印刷はあったが、シートカバーへの広告印刷の形態はなく、停車時のシートの座面の有効活用が期待できる。
【先行技術文献】
【特許文献】
【０００３】
【特許文献１】特開平５−２００９５０
【考案の概要】
【考案が解決しようとする課題】
【０００４】広告の掲載場所が無かった配達用二輪車で停車中に座面に広告を印刷する事により、通行人へ訴求出来るようにする。
【課題を解決するための手段】
【０００５】二輪車を用いて業務を行う時にシートカバーに広告を印刷し停車中に顧客となり得る通行人へ訴求し広告効果を狙う。
【考案の効果】
【０００６】ピザ用の配達用二輪車においては停車中に荷物運搬用の箱に記載されている広告での宣伝訴求効果は既に知られており、この地域に配達してくれるピザ店と言う事での訴求効果は確実に有効な手段として浸透している。
この効果を大きな広告面を持たない運搬ボックスの無い二輪車（オカモチによる配達を行う車両等）でも期待出来る。
【図面の簡単な説明】
【０００７】
【図１】座席に装着した状態
【図２】縫製前の展開図、車両の座席形状によって異なる。
【図３】シートカバー単体の状態
【考案を実施するための形態】
【０００８】シートの形状は一定ではない為、個々の車種または許容できる様な同程度の形状のシートに対してシートカバーを作成し、座面及び側面に広告の印刷を施し縫製して形成する。
【符号の説明】
【０００９】１．広告を印刷したシートカバーの座面
２．側面も座面同様に広告印刷が可能
３．形状は車両のシートの形状に合わせて作成し端部を折り返して縫い、紐を通すかゴム    紐を通して巾着のように絞ってシートに固定する。
【図１】
0003209131.tif 000003
【図２】
0003209131.tif 000004
【図３】
0003209131.tif 000005
【手続補正書】
【提出日】平成28年10月17日(2016.10.17)
【手続補正１】
【補正対象書類名】実用新案登録請求の範囲
【補正対象項目名】請求項１
【補正方法】変更
【補正の内容】
【請求項１】
二輪車のシートに被せるシートカバーの生地に主に宣伝等の印刷を行いその生地を取り付けるシートの形状に合わせて立体縫製するために形状は一定ではなく取り付け対象のシートに合わせたものとなる、固定方法も被せて開口部を巾着のようにしぼり固定する方法やシート基部に鋲などで打ち付ける等して固定する配達時の停車中に宣伝効果を期待できる二輪車用広告印刷済みシートカバー。
(57)【要約】      （修正有） 【課題】お金や物を入れたりすることの出来るぽち袋にふせんを貼って伝言を伝える役割をプラスしたふせんぽち袋を提供する。【解決手段】抜き型によりぽち袋の形状とぽち袋の口部分のでっぱりとを形成して組み立てたふせんぽち袋であって、でっぱりｄ、ｅに低粘着のりをつけ物に貼れるふせんの機能を加えた。表面fにメッセージを書くことにより、伝言を伝えることができる。フタgを内側に折る事で封筒を閉じる形態となり物を入れて渡すことが出来る。【選択図】図２
0003209132.tif 000002
【実用新案登録請求の範囲】
【請求項１】
ぽち袋(ミニ封筒：以下ぽち袋)の抜き型を変える事によりふせんとぽち袋の機能をひとつにすることが出来るふせんぽち袋。
【請求項２】
「つかまる」という手のようなデザインにより様々なキャラクターで展開できる抜きの型のふせんぽち袋
【考案の詳細な説明】
【技術分野】
【０００１】
本考案はぽち袋とふせんの機能を供えた製品に関するものである。
【背景技術】
【０００２】
従来はふせんとぽち袋は別々の商品として販売されている。
ふせんは伝言を伝えるため、ぽち袋は物を入れて渡す為と分けられて使用
されている。
【先行技術文献】
【非特許文献】
【０００３】
【非特許文献１】「菅公工業株式会社  ファンシー用品カタログＮＯ１１  １４−１２」
【非特許文献２】「菅公工業株式会社  和風ぽち袋カタログ  金封用品  １５−１１」
【考案の概要】
【考案が解決しようとする課題】
【０００４】
ふせんとぽち袋は同じ紙製品なのでこれらを一体化することにより新たなコミュニケーションツールとして製品にするため抜き型から見直しをし、
伝言が書けるふせんと物を入れて渡せるぽち袋を一緒にした商品を作成することにより前途の点を解決しようとするものである。
【考案の効果】
【０００５】
従来のぽち袋の抜き型を見直すことで物を入れて渡すぽち袋と伝言を伝えるふせんの一度にふたつの機能を使う事が出来るふせんぽち袋を開発した。
【図面の簡単な説明】
【０００６】
【図１】「ふせんぽち袋」の概要である。
【図２】使用例を示した説明図である。
【考案を実施するための最良の形態】
【０００７】
従来のぽち袋の抜き型を大幅に変更しふせんぽち袋という名称で作成する。
ふせんは「貼る」ぽち袋は「渡す」ということからこれらの効果を同時に使う事ができる
【実施例】
【０００８】
以下、添付図面に従って一実施例を説明する。
図1は抜き型で1はフタ部分で3・4を折り組み立てることにより物を入れるぽち袋となる。2は裏の6に両面粘着シールをつけ、5に伝言を書くことによりふせんの貼る、伝える役割をする。
【符号の説明】
【０００９】
１ ぽち袋フタ部分
２ 新機能、手
３ ぽち袋のり部分(横)
４ ぽち袋のり部分(受け)
５ メモ書き込み部分
６ ふせんのり部分
【図１】
0003209132.tif 000003
【図２】
0003209132.tif 000004
【手続補正書】
【提出日】平成28年11月2日(2016.11.2)
【手続補正１】
【補正対象書類名】実用新案登録請求の範囲
【補正対象項目名】全文
【補正方法】変更
【補正の内容】
【実用新案登録請求の範囲】
【請求項１】
抜き型によりぽち袋の形状とぽち袋の口部分のでっぱりと図1の2部分を形成して組み立てたぽち袋であって、でっぱりに低粘着のりをつけ物に貼れるふせんの機能をひとつにすることが出来るふせんぽち袋。
【手続補正書】
【提出日】平成28年12月21日(2016.12.21)
【手続補正１】
【補正対象書類名】実用新案登録請求の範囲
【補正対象項目名】全文
【補正方法】変更
【補正の内容】
【実用新案登録請求の範囲】
【請求項１】
抜き型によりぽち袋の形状とぽち袋の口部分のでっぱりとを形成して組み立てた
ふせんぽち袋であって、でっぱりに低粘着のりをつけ物に貼れるふせんの機能を
ひとつにすることが出来るふせんぽち袋。
(57)【要約】      （修正有）【課題】患部の皮膚に貼付することにより、時間の経過と共にテープの外周境界部の皮膚表面にあらわれていたかゆみ、発赤等のダメージを軽減することによりテープを貼った皮膚を健全にする医療用テープを提供する。【解決手段】従来の外周が直線で四角形の医療用テープを貼付することによる皮膚表面にあらわれていたダメージを軽減するためテープ本体１の外周直線部を自在の曲線形状２にすることにより皮膚に貼付したテープの外周境界部に作用する応力はテープの曲線形状に応じ分散されることで皮膚表面に加わる応力によるダメージは軽減され、皮膚の健全化に役立つ。【選択図】図１
0003209191.tif 000002
【実用新案登録請求の範囲】
【請求項１】
医療用テープの外周直線部を波形等、ゆるやかで自在な曲線形状としたところを特徴とする外周が曲線の医療用テープ。
【考案の詳細な説明】
【技術分野】
【０００１】  本考案は、医療用テープに関する、例えば四角形のテープ外周部が波形やゆるやかな曲線形状等にしたテープに関するものである。
【背景技術】
【０００２】  身体の皮膚に必要に応じて医療用テープを貼った場合、その貼り付けた身体の部位や、また、個人差にもよるが時間の経過と共にテープを貼った外周境界部の皮膚表面に、かゆみ、発赤等症状があらわれていた。
【考案の概要】
【考案が解決しようとする課題】
【０００３】  身体の皮膚に医療用テープを貼り付けることで、そのテープの外周境界部の皮膚表面にかゆみ、発赤等症状があらわれることにより皮膚のダメージとなる。そのため心的負担も大きく、また、貼ったテープをはがし新たに貼り替えることにより経済的、時間的負担である。従って、テープの外周形状を曲線形にすることにより皮膚表面にあらわれるかゆみ、発赤等症状のダメージが軽減、健全化されることで前述の欠点を解決しようとするものである。
【考案が解決するための手段】
【０００４】  本考案は、従来の一般的な医療用テープの形状は四角形で辺は直線形である。そのテープを身体の皮膚に貼り付けた時、そのテープが皮膚表面から簡単にはがれない様、テープ本体の粘着作用が皮膚表面に働いている。そのテープを貼り付けたまま日常的身体運動等をすることで、テープ本体の粘着作用と運動等による皮膚伸縮作用が貼ったテープの四角形の辺の外周境界部で一直線上、同一方向で対抗することにより、時間の経過と共にその外周境界部の皮膚表面にダメージとなり、かゆみ、発赤等症状があらわれていた。そのダメージを軽減するには、テープの外周形状を曲線形状とすることにより外周境界部の皮膚表面に働く粘着作用応力は、曲線に応じ分散される。故に、テープの外周を曲線形状にすることで外周境界部の粘着、伸縮作用応力は、それぞれ一直線上、同一方向より分散されることによりその応力は弱まることで皮膚表面のダメージは軽減、健全化されることにより問題点を解決している。
【考案の効果】
【０００５】  上述の様に、本考案の外周が曲線の医療用テープは、そのテープを身体の患部に貼付した時、皮膚表面に対し外周が曲線形状であるため、皮膚表面に加わるテープの粘着、伸縮作用の応力が分散され、皮膚表面に対するダメージが軽減されることによりテープを貼付した時の皮膚の健全化に役立つ。
【図面の簡単な説明】
【０００６】
【図１】  本考案の四角形の直線外周部が曲線形状の医療用テープの一実施例を示す平面図である。
【考案を実施するための形態】
【０００７】  四角形の直線的な外周の医療用テープの四辺をそれぞれ自在な波形等、ゆるやかな曲線形にすることにより、外周が曲線形状のテープとなる。
【実施例】
【０００８】  以下、添付図面に従って一実施例を説明する。１は医療用テープ本体、２は外周が自在の曲線形状。【０００９】  本考案の一実施例は上述の如き構成からなるものであるから、外周が曲線形状２のテープ本体１を皮膚に貼付することによる皮膚表面に加わるテープ本体１の作用する応力が軽減される。
【符号の説明】
【００１０】    １  テープ本体
２  外周が自在の曲線形状
【図１】
0003209191.tif 000003
(57)【要約】      （修正有）【課題】握力が小さくても強く背中を洗えるようにする背中洗い穴あきタオルを提供する。【解決手段】巾１５ｍｍ厚２ｍｍのステッチテープで内寸法４０ｍｍ×９０ｍｍ外寸法７０ｍｍ×１２０ｍｍの四角形Ｂを造り、ナイロン製、布製の入浴タオルＡ長辺方向両端の中央に縁縫いＣし、四角形内側部を切り取り、手の掛けられる穴Ｄを空けた。【選択図】図１
0003209195.tif 000002
【実用新案登録請求の範囲】
【請求項１】
巾１５ｍｍ厚２ｍｍのステッチテープで内寸法４０ｍｍ＊９０ｍｍ外寸法７０ｍｍ＊１２０ｍｍの四角形を造り、ナイロン製、布製の入浴タオル長辺方向両端の中央に縁縫いし、四角形内側部を切り取り、手の掛けられる穴を空けた背中洗い穴あきタオル。
【考案の詳細な説明】
【技術分野】
【０００１】老齢、低年齢により握力、腕力の不足で背中を洗う動作にかなりの力がいるためスムーズに背中洗いができない。力いらずにするため握力を補助する力をタオルに穴を開けることで握る力と手首引っ掛けの力を併用した穴あきタオル。
【考案の概要】
【考案が解決しようとする課題】
【０００２】背中こすりは石鹸でタオル握りの手が滑り、握力が減少し気持ち良い擦りが出来ないためタオルに穴を開け握る力と手の引っ掛け力を使い老齢、年少に拘らず楽しく入浴ができる。
【課題を解決するための手段】
【０００３】個人の腕力等健康状態により窮屈な所作が起こるため現状のあるものに付加して四角のステッチシートを縁縫いして手を通す穴を開け力の分散を計り握力を減少し擦りの力を増す。
【考案の効果】
【０００４】入浴での高年齢の方や手の握力のない方、小さい子供が一人での背中洗いはタオルの両端を握り背中に当て手を左右動かし洗う動作をするのですが、握力が弱いため力不足で気持ちよく洗えないので、握力が小さくても強く背中を洗えるように左右の手を穴開けしたタオルに差込み、手を引っ掛けることで握力の分散となり背中を擦る力がつよくなる。
【図面の簡単な説明】
【０００５】
【図１】背中洗い穴あきタオル制作の平面図である。
【考案を実施するための形態】
【０００６】この考案は背中を洗う時に老齢で握力がなく力の入れにくい人、洗う動作が出来にくい子供のため、タオルの短辺両端中央に四角の手の拳が入る大きさで、２箇所に四角の１５ｍｍ巾のステッチベルトをヘリ縫し、そのうち側を切り抜き穴を開け、穴の中に手を差込み握りやすくした背中洗い穴あきタオルである。
【産業上の利用可能性】
【０００７】老齢者、教育途上低学年の人は人口の大半を占めると考いまのでこれは、握力要らずで多数の人の需要が見込まれる事と確信します、
【背中洗い穴あきタオル符号の説明】
【０００８】          ［図１］の符号の説明                簡単な説明
Ａ        タオル素材を示す                    ナイロン製、布製
Ｂ        縁取り付けステッチテープ            四角に組んだステッチテープ
Ｃ        ステッチテープ縁縫込み線            縁に沿って四方２列に縫い込む
Ｄ        縁取りテープ内のタオル材切り取り    掌差し入れ口
【図１】
0003209195.tif 000003
(57)【要約】      （修正有）【課題】手を汚さずに、手間もかからず、糞の取り残しもなくなり簡単に処理することができる糞を収納する袋を備えた動物の糞処理具を提供する。【解決手段】角形のシート２の裏側に弓形に湾曲した形状の復元力を利用した板バネ５を装着し、さらにシートの両端にバネ６で上げ下げできるレバー４を有したボード３を設け、このシート・ボード上に糞処理用の袋をのせ、フック９を持ちレバーを引き上げレバーでボード上に抑えつけ固定し、シート・ボード上に固定した袋上に糞がのるようにペットの股間の近くに取っ手８を持って差し込み袋上にのせ、袋の口の端を指でつまみ処理具から引き抜き、袋の中に手を入れ糞を包み込むように袋を裏返し、糞を袋の中に取り込むようにした。【選択図】図２
0003209146.tif 000002
【実用新案登録請求の範囲】
【請求項１】
角形のシートの両端にバネで上げ下げできるレバーを有したボードを設け、シート・ボ  ード上に置いた袋を、バネのついたレバーでボードに抑えつけ固定することを特徴とす  る糞処理具。
【請求項２】
ボード・角形のシートの裏側に、弓形に湾曲した形状の復元力を利用した板バネを取り付けたことを特徴とする請求項１記載の糞処理具。
【請求項３】
板バネの使用によりシート及び取っ手を有したボードを丸め、シートの裏側とボードの  片方に取り付けたマジックテープで固定し、コンパクトに収納出来ることを特徴とする  請求項１又は請求項２記載の糞処理具。
【考案の詳細な説明】
【技術分野】
【０００１】本考案は、動物の糞の後始末を解決するために、シートの上に置かれた袋上に糞をキャッチし、その袋の中に取り込むようにしたものである。
【背景技術】
【０００２】従来は、ティッシュ等により取り上げ、袋等に入れ処理していた。
【考案の概要】
【考案が解決しようとする課題】
【０００３】動物の糞は取りにくく、取り残しもあり、また手間もかかり取り扱いに苦慮しているという課題がある。
【課題を解決するための手段】
【０００４】本考案の糞処理具は、角形シートの両端にバネで上げ下げできるレバーと一体化したボードを設け、シート・ボードの裏側には、弓形に湾曲した形状の復元力を利用した板バネ（以下板バネと言う）を装着し、シート・ボード上に置いた糞処理用の袋をバネのついたレバーでボード上に抑えつけ固定し、糞がのるようにペットの股間の近くに取っ手を持って差し込み、袋上にキャッチし、袋の口の端を指でつまみ処理具から引き抜き、袋の中に手を入れ、糞を包み込むように袋を裏返し、糞を袋の中に取り込むようにした。
【考案の効果】
【０００５】手を汚さずに、手間もかからず、糞の取り残しもなくなり簡単に処理することができる。
【考案を実施するための形態】
【０００６】以下、本考案の実施の形態について図面を参照しつつ説明する。
（イ）処理具▲１▼はシート▲２▼と、シートの両端にバネ▲６▼で上げ下げできるレバー▲４▼と一体化したボード▲３▼が設けられている。
（ロ）シート・ボードの裏側に弓形に湾曲した形状の復元力を利用した板バネ▲５▼（以下板バネと言う）及びマジックテープ▲７▼が取り付けられている。
（ハ）ボードとレバーを一体化している折り曲げ部はボード・レバーより薄くなっており、この折り曲げ部にレバーを上げ下げするバネ▲６▼をとりつけてある。
（二）ボードの両端、及びレバーの端はＬ字形となり、ボードの一方には取っ手▲８▼が取り付けてある。
【図面の簡単な説明】
【０００７】
【図１】  本考案の平面図である。
【図２】  本考案の側面図である。
【図３】  本考案の背面図である。
【図４】  本考案の使用後の収納状態を示した側面図である。
【符号の説明】
【０００８】▲１▼  処理具
▲２▼  シート
▲３▼  ボード
▲４▼  レバー
▲５▼  板バネ
▲６▼  バネ
▲７▼  マジックテープ
▲８▼  取っ手
▲９▼  フック
【図１】
0003209146.tif 000003
【図２】
0003209146.tif 000004
【図３】
0003209146.tif 000005
【図４】
0003209146.tif 000006
【手続補正書】
【提出日】平成28年12月14日(2016.12.14)
【手続補正１】
【補正対象書類名】実用新案登録請求の範囲
【補正対象項目名】請求項３
【補正方法】変更
【補正の内容】
【請求項３】
板バネの使用によりシート及び取っ手を有したボードを丸め、シートの裏側とボードの片方に取り付けた面ファスナーで固定し、コンパクトに収納出来ることを特徴とする請求項１又は請求項２記載の糞処理具。
(57)【要約】      （修正有）【課題】アンダーパスによる路面冠水時の侵入事故を防止する冠水事故防止具を提供する。【解決手段】蛍光塗料や夜光塗料を施した多数個の浮き玉Ｉが保管された保管箱からなり、くぐり抜け式地下道路（アンダーパス）の路面冠水水位が、一定以上に達した時、浮き玉Ｉが保管箱から放出され、冠水面を浮遊する。【選択図】図４
0003209144.tif 000002
【実用新案登録請求の範囲】
【請求項１】
くぐり抜け式地下道路（アンダーパス）の路面冠水水位が、一定以上に達した時、着色剤が水で溶解し冠水面を着色する事を特徴とした冠水事故防止具。
【請求項２】
くぐり抜け式地下道路（アンダーパス）の路面冠水水位が、一定以上に達した時、蛍光塗料や夜光塗料を施した浮き玉が多数個保管箱から放出され、冠水面を浮遊する事を特徴とした冠水事故防止具。
【考案の詳細な説明】
【技術分野】
【０００１】  本考案は、アンダーパスによる路面冠水時の侵入事故の防止に関するものである。
【背景技術】
【０００２】  我が国に於いて、最近の異常豪雨は日常化しつつあり、アンダーパスの排水機能も想定外の豪雨により冠水状態が全国各地で頻繁に発生し、人命や車両が多く損なわれている。
【考案の開示】
【考案が解決しようとする課題】
【０００３】  アンダーパスの冠水状態を通行者に認知させる為に、警告標示や水位表示が各所に施されている。（図１）
しかし、異常豪雨時の自動車運転状態は、通行道路が暗くなる上に、大粒で大量な雨により運転視認性は極めて低くなる。
更に、心理的にもその恐怖感からパニック障害に陥り易い程、異常な状態になる。
これらの状態により、運転者は冷静で正常な運転動作が困難となり、冠水状態を認識できず、更に心理的にも不安と焦りが加わり危険な冠水道路へ侵入してしまう事故が続発している。（図２）
【課題を解決する為の手段】
【０００４】  この課題を解決する為、請求項１の考案はアンダーパスの冠水が一定の水位に達した時、道路隅に施した視認性を高められる着色剤が水で溶解して冠水面を着色する事により、運転者に一目瞭然とその冠水状態を認識させ、冠水部への侵入を防ぐものである。（図３）
【０００５】  また、請求項２の考案はアンダーパスの冠水が一定の水位に達した時、道路隅に施した視認性を高められる蛍光塗料や夜光塗料が施された浮きボールが、多数個冠水面に浮出て浮遊させる工夫をする事により、運転者に一目瞭然とその冠水状態を認識させ、冠水部への侵入を防ぐものである。（図４）
【考案の効果】
【０００６】  本考案は運転者に対し、瞬時に危険な冠水状態を認識させ、反射的に車を減速、又は停止させる行為をさせる事が出来る。
この減速や停止動作により、危険に対する予知可能な時間が作り出され、冠水への侵入事故を未然に防止するものである。
【考案を実施する為の最良の形態】
【０００７】  本考案に係る請求項１は、アンダーパスの冠水が一定の水位に達した時、道路隅に施した着色剤が冠水により保管箱から放出され溶解して冠水面を着色するものであり、暗所でも視認性の高い白色を基調とした着色剤が望ましい。
又、水位の変化に伴い着色剤の色や量の変化を加える事も有効である。
更に、短時間で広範囲に多く着色する為に、発泡剤を加えての着色剤も効果的である。
尚、着色剤の使用成分は排水時の環境性も考慮すべきである。
【０００８】  本考案に係る請求項２は、アンダーパスの冠水が一定の水位に達した時、蛍光塗料や夜光塗料が施された着色浮きボールが保管箱から放出され、多数個冠水面を浮遊させるものである。
また、排水時の妨げとならぬように排水口部に網カゴを被せる等の対策も必要であり、ボールを清水で洗浄すれば繰り返しの使用が可能になる。
素材は、プラスチックや発泡スチロール等の浮きボールが実用的である。
請求項１との組み合わせての使用は、更に大きな効果が有る。
【図面の簡単な説明】
【０００９】
【図１】運転席から見た冠水警告道路の晴天時の状態である。
【図２】運転席から見た異常豪雨時の冠水道路である。
【図３】運転席から見た異常豪雨時の冠水面を着色した状態である。
【図４】運転席から見た異常豪雨時の冠水面に着色ボールが浮遊した状態である。
【図５】（１）着色剤保管箱を、道路端に設置した図である。（２）保管箱の蓋が浮力で開き、着色剤が溶解する図である。
【図６】（１）着色ボール保管箱を道路端に設置した図である。（２）保管箱の蓋が浮力で開き着色ボールが浮遊する図である。
【符号の説明】
【００１０】Ａ  冠水注意標示
Ｂ  冠水水位表示
Ｃ  路面部
Ｄ  冠水部
Ｅ  ワイパー
Ｆ  着色冠水面
Ｇ  ルームミラー
Ｈ  ハンドル
Ｉ  着色ボール
Ｊ  着色剤
Ｋ  水流入口
Ｌ  保管箱
Ｍ  フロート菅
【図１】
0003209144.tif 000003
【図２】
0003209144.tif 000004
【図３】
0003209144.tif 000005
【図４】
0003209144.tif 000006
【図５】
0003209144.tif 000007
【図６】
0003209144.tif 000008
【手続補正書】
【提出日】平成28年11月17日(2016.11.17)
【手続補正１】
【補正対象書類名】実用新案登録請求の範囲
【補正対象項目名】全文
【補正方法】変更
【補正の内容】
【実用新案登録請求の範囲】
【請求項１】
着色剤が保管された保管箱からなり、くぐり抜け式地下道路（アンダーパス）の路面冠水水位が、一定以上に達した時、着色剤が水で溶解し冠水面を着色することを特徴とした冠水事故防止具。
【請求項２】
蛍光塗料や夜光塗料を施した多数個の浮き玉が保管された保管箱からなり、くぐり抜け式地下道路（アンダーパス）の路面冠水水位が、一定以上に達した時、浮き玉が保管箱から放出され、冠水面を浮遊することを特徴とした冠水事故防止具。
(57)【要約】      （修正有）【課題】ナビゲーション表示が見やすいバイク用に特化したバイクヘルメット用シールドを提供する。【解決手段】バイクヘルメットのシールド上に地図や方向などを表示する。前方が見やすくなり事故を防ぐことができる。【選択図】図１
0003209141.tif 000002
【実用新案登録請求の範囲】
【請求項１】
バイク用ナビゲーションとして地図や方向などをヘルメットのシールド上に表示させる方式を使要するシステムすべて
【考案の詳細な説明】
【背景技術】
【０００１】
カーナビゲーションシステム
【考案の概要】
【考案が解決しようとする課題】
【０００２】
バイク用に特化したナビゲーションシステムは存在しないためカーナビをバイク用に使用しているが、表示が見にくいため下を見ながら運転することで事故がおきやすい。
【課題を解決するための手段】
【０００３】
この課題を解決するためヘルメットのシールド部分に地図や方向を表示することで前方をみながら運転することができ、安全走行ができる。
【考案の効果】
【０００４】
カーナビは車では前方で目線上に置けるが、バイクには目線上に置く手段がないが、ヘルメットのシールド上に表示することで目線上に表示されるため前が見やすくなる
【図面の簡単な説明】
【０００５】
【図１】ヘルメットのシールド上に地図や方向を表示する
【図１】
0003209141.tif 000003
【手続補正書】
【提出日】平成28年11月29日(2016.11.29)
【手続補正１】
【補正対象書類名】実用新案登録請求の範囲
【補正対象項目名】全文
【補正方法】変更
【補正の内容】
【実用新案登録請求の範囲】
【請求項１】
バイク用ナビゲーションとして地図や方向などをヘルメットのシールド上に表示させることを特徴とする、バイクヘルメット用シールド
(57)【要約】      （修正有）【課題】ワンボックスカーのフロントエリア、カーシート下部における水滴、油などの汚れを防止し、エンジンから発する熱や音を効率的に遮断するエンジンフードカバーを提供する。【解決手段】エンジンルーム上に設置されるフロントシートの下に敷設されるエンジンフードカバーであって、表面レザーと断熱材の間に多孔性のスポンジ状のシートと布製シートを配する。【選択図】図１
0003209167.tif 000002
【実用新案登録請求の範囲】
【請求項１】
エンジンルーム上に設置されるフロントシートの下に敷設されるエンジンフードカバーであって、表面レザーと断熱材の間に多孔性のスポンジ状のシートと布製シートを配することを特徴とするエンジンフードカバー。
【考案の詳細な説明】
【技術分野】
【０００１】本考案は断熱素材と表面レザーを組み合わせた素材のエンジンフードカバー（以下、デッキカバーともいう。）に多孔性のスポンジ状シートと布製シートをサンドイッチ状に配することで断熱効果、防音効果を高めたデッキカバーに関するものである。
【背景技術】
【０００２】ワンボックスカーにおけるエンジンフードカバーの使用用途は、フロントエリアの水滴や油などからの汚れ防止、エンジン音の防音、シートとの断熱を目的とし所有者に必要とされていた。その市場は、構成素材ではＰＶＣレザー製、デザイン性や汚れ防止を主たる目的とした製品が主流であり、断熱素材をＰＶＣレザーにプラスする合わせ方法はダイヤステッチで縫合することでのみであった。これらでは、防音効果や断熱効果が十分ではなく、より効果的なシートの開発が望まれていた。
特許文献１において、エンジンルーム用断熱材及び防音ライニングが吸音ジュロプラスチックフォーム層とウエブの防音層をカバー層で挟むライニングが開示されているが、これはエンジンルーム全体のライニングに関するものであり、自動車の使用者が簡単に取り扱えるものではない。また特許文献２にもエンジンルーム用断熱吸音体が開示されているが、これも使用者が選択できるものではない。
【先行技術文献】
【特許文献】
【０００３】
【特許文献１】特表２００２−５１４５５１号公報
【特許文献２】特開２０１６−１４１２４８号公報
【考案の概要】
【考案が解決しようとする課題】
【０００４】ワンボックスカーのフロントエリア、カーシート下部における水滴、油汚れの防止、エンジンから発する熱や音を効率的に遮断するシートを提供する。
【課題を解決するための手段】
【０００５】エンジンルーム上に設置されるフロントシートの下に敷設されるエンジンフードカバーであって、表面レザーと断熱材の間に、多孔性のスポンジ状のシートと布製シートを配することを特徴とするエンジンフードカバー。
【考案の効果】
【０００６】本考案のデッキカバーは、形成素材に断熱素材をプラスしている為厚みもプラスになり、断熱効果を生み出したことだけでなく、防音効果、冷房効果のアップもプラスされるメリットがある。
【図面の簡単な説明】
【０００７】
【図１】図１は断熱効果を発揮する４層構造の素材の構成を説明した図。
【図２】図２は断熱素材で製作したデッキカバーの姿図（前面）。
【図３】図３は断熱素材で製作したデッキカバーの姿図（後面）。
【考案を実施するための形態】
【０００８】製品の形成される素材（ＰＶＣレザー＋スポンジ）に断熱素材を合わせて縫合し（断熱素材に布状の素材を接着することでＰＶＣレザーとの一体化が可能になった）一体型に形成した素材を主要な特徴とする素材でエンジンフードカバー（デッキカバー）を製作することができる。
エンジンルームからの断熱を目的とする点で、従来品より前面部はシート側面部を延長、後面はセンターコンソールに添わせて装着させる設計としていたが、新素材を使用することでデザインの自由度も広がり、センターコンソールに挟み込んで装着する仕様へ変更することで、カバー範囲が広がり、断熱効果をさらにアップできる。
【実施例】
【０００９】断熱材シートの上に布製シートを接着し、それとＰＶＣレザーとスポンジを縫合することで調製したシートを、装着する車の座席シートの形状に合わせて裁断することにより、エンジンフードカバーとして用いる（図２、図３）。
【産業上の利用可能性】
【００１０】ワンボックスカーのフロントシートの下に設置するデッキカバーとし利用できる。
【図１】
0003209167.tif 000003
【図２】
0003209167.tif 000004
【図３】
0003209167.tif 000005
(57)【要約】      （修正有）【課題】植物輸送時にエチレンガスが発生し、輸送中に開花してしまう問題を解決するエチレンガス除去ジェル延命剤を提供する。【解決手段】植物８を輸送用箱７に収容し、長時間にわたって輸送する梱包形態であって、輸送する植物８と、上方部に空気孔２を形成し、延命剤を収容した容器６とを備え、容器６は輸送用箱７の内面上方部に貼付する。延命剤は、活性剤５、ジェル化剤４、水成二酸化塩素３を混ぜ合わせたものである。【選択図】図１
0003209169.tif 000002
【実用新案登録請求の範囲】
【請求項１】
植物を輸送用箱に収容し、長時間にわたって輸送する梱包形態であって、輸送する植物と、上方部に空気孔を形成し、延命剤を収容した容器とを備え、前記容器は前記輸送用箱の内面上方部に貼付することを特徴とする植物を長時間に亘って輸送する梱包形態。
【請求項２】
前記延命剤は、活性剤、ジェル化剤、水成二酸化塩素であることを特徴とする請求項１記載の植物を輸送する梱包形態。
【請求項３】
前記水成二酸化塩素水溶液は５００〜１０００ｐｐｍであることを特徴とする請求項１〜２記載の植物を輸送する梱包形態。
【請求項４】
前記延命剤は前記空気孔から二酸化塩素ガスが流出し、前記輸送用箱の内部に充満させたことを特徴とする請求項１〜３記載の植物を輸送する梱包形態。
【考案の詳細な説明】
【技術分野】
【０００１】  本案件は、早期開花抑制用エチレンガス除去ジェル延命剤に関する。
【背景技術】
【０００２】
【考案の概要】
【考案が解決しようとする課題】
【０００３】  出荷時は問題ない商品が、植物から発生するエチレンガスによって輸送中に開花してしまい商品寿命が短くなってしまうといった事例が以前から花卉業界の中で問題になっている。
【課題を解決するための手段】
【０００４】  本考案は、植物を輸送用箱に収容し、長時間にわたって輸送する梱包形態であって、輸送する植物と、上方部に空気孔を形成し、延命剤を収容した容器とを備え、前記容器は前記輸送用箱の内面上方部に貼付する。前記延命剤は、活性剤、ジェル化剤、水成二酸化塩素水溶液であることを特徴とし、前記水成二酸化塩素水溶液は５００〜１０００ｐｐｍであることを特徴とする。前記延命剤はジェル状であり、前記空気孔から二酸化塩素ガスが流出し、前記輸送用箱の内部に充満させたことを特徴とする植物を輸送する梱包形態。
【考案の効果】
【０００５】  本考案により植物輸送中の早期開花の抑制が可能になる。
【図面の簡単な説明】
【０００６】
【図１】本考案の立体図である。
【図２】本考案の立体図である。
【考案を実施するための形態】
【０００７】  １は接着面、２は空気孔、３は水成二酸化塩素、４はジェル化剤、５は活性剤、６は容器、７は輸送用箱、８は植物であり、本考案は植物８の輸送時に水成二酸化塩素水溶液３とジェル化剤４と活性剤５を混ぜ合わせジェル状にした早期開花抑制用エチレンガス除去ジェル延命剤の入った容器を輸送用箱上方部に接着する。この様に構成し梱包した輸送用箱を完成させる。空気孔２から活性剤５により、水成二酸化塩素水溶液３から発生する二酸化塩素ガスの発生量を調整し、長時間に亘って適正量のガスを継続的に発生させ、植物から発生するエチレンガスを除去する。
【符号の説明】
【０００８】１  接着面
２  空気孔
３  水成二酸化塩素水溶液
４  ジェル化剤
５  活性剤
６  容器
７  輸送用箱
８  植物
【図１】
0003209169.tif 000003
【図２】
0003209169.tif 000004